(57)【特許請求の範囲】
【請求項１】
副走査方向に異なる位置で発光する複数の発光点を有する光源と、
前記光源から出力された複数のビームを感光体上に走査する走査手段と、
画像領域外に配置され、前記光源のうちいずれかのビームの照射により主走査同期信号を出力する同期信号出力手段と、
前記光源を画像データに基づいて変調する駆動手段と、
前記主走査同期信号に基づいて各ビームの主走査方向の画像書込みタイミングを制御する制御手段と、
を有するレーザ走査光学装置を備え、
前記制御手段は、選択された画像処理モードに基づいて複数のビームの画像書込みタイミングを１走査ごとに変更すること、
を特徴とする画像形成装置。
【請求項２】
前記制御手段は、選択された画像処理モードでの画像パターンの周期が前記光源のビーム本数と干渉し、各ビームが主走査方向の位置ずれがある場合に形成される画像に干渉による筋やむらが発生するか否かを判断すること、を特徴とする請求項１に記載の画像形成装置。
【請求項３】
さらに、主走査方向の画像書込みタイミングを画像処理モードごとに設定する入力手段を備え、
前記制御手段は前記入力手段からの入力に基づいて画像書込みタイミングを制御すること、
を特徴とする請求項１又は請求項２に記載の画像形成装置。
【請求項４】
さらに、前記主走査同期信号を得るためのビームを固定するか、又は、ランダムに設定するかを選択するための第１の選択手段を備え、
前記制御手段は前記第１の選択手段による選択に基づいて画像書込みタイミングを制御すること、
を特徴とする請求項１ないし請求項３のいずれかに記載の画像形成装置。
【請求項５】
さらに、前記第１の選択手段によって主走査同期信号を得るためのビームを固定することが選択された場合に、それぞれのビームの画像書込みタイミングを固定するか又はランダムに設定するかを選択する第２の選択手段を備え、
前記制御手段は前記第２の選択手段による選択に基づいて画像書込みタイミングを制御すること、
を特徴とする請求項４に記載の画像形成装置。
【請求項６】
さらに、前記第２の選択手段によってそれぞれのビームの画像書込みタイミングを固定することが選択された場合に、それぞれのビームに対する画像書込みタイミングを設定する第１の入力手段を備え、
前記制御手段は前記第１の入力手段からの入力に基づいて画像書込みタイミングを制御すること、
を特徴とする請求項５に記載の画像形成装置。
【請求項７】
さらに、前記第２の選択手段によってそれぞれのビームの画像書込みタイミングをランダムに設定することが選択された場合に、それぞれのビームの画像書込みタイミングの可変範囲を設定する第２の入力手段を備え、
前記制御手段は前記第２の入力手段からの入力に基づいて画像書込みタイミングを制御すること、
を特徴とする請求項５に記載の画像形成装置。
【請求項８】
さらに、前記第１の選択手段によって主走査同期信号を得るためのビームをランダムに設定することが選択された場合に、それぞれのビームの画像書込みタイミングを固定するか又はランダムに設定するかを選択する第３の選択手段を備え、
前記制御手段は前記第３の選択手段による選択に基づいて画像書込みタイミングを制御すること、
を特徴とする請求項４に記載の画像形成装置。
【請求項９】
さらに、前記第３の選択手段によってそれぞれのビームの画像書込みタイミングを固定することが選択された場合に、それぞれのビームに対する画像書込みタイミングを設定する第３の入力手段を備え、
前記制御手段は前記第３の入力手段からの入力に基づいて画像書込みタイミングを制御すること、
を特徴とする請求項８に記載の画像形成装置。
【請求項１０】
さらに、前記第３の選択手段によってそれぞれのビームの画像書込みタイミングをランダムに設定することが選択された場合に、それぞれのビームの画像書込みタイミングの可変範囲を設定する第４の入力手段を備え、
前記制御手段は前記第４の入力手段からの入力に基づいて画像書込みタイミングを制御すること、
を特徴とする請求項８に記載の画像形成装置。
【発明の詳細な説明】
【技術分野】
【０００１】
本発明は、画像形成装置、特に、複写機やプリンタなどの電子写真法による画像形成装置に関する。
【背景技術】
【０００２】
一般に、この種の画像形成装置に搭載されるレーザ走査光学装置としては、画像形成の高速化、高精細化に対応するために、副走査方向に異なる位置で発光する複数の発光点（以下、マルチビームとも称する）を有する光源を用いている。また、主走査方向の同期信号の検出方法として、マルチビームのうちの一つのビームでＳＯＳセンサを照射して同期信号を出力させ、該同期信号に基づいて各ビームの主走査方向の画像書込みタイミングを制御している。
【０００３】
さらに、特許文献１には、各ビームの主走査方向位置を可変とするように制御し、画像（線像、ハーフトーンなど）を描画し、最もよい画像を出力した書込みタイミングに設定することが記載されている。
【０００４】
ところが、特許文献１に記載の画像形成装置では、画像処理モードごとにハーフトーンにおける描画パターンが異なり、特定の画像処理で効果的であっても、他の画像処理モードでは効果が発揮されない場合がある。また、画像を一度プリントし、その画像を視認して画像書込み開始位置（書込みタイミング）を設定しなくてはならず手間である。
【特許文献１】特開２００５−５３０００号公報
【発明の開示】
【発明が解決しようとする課題】
【０００５】
そこで、本発明の目的は、画像処理モードに対応した最適な品質の画像を簡単な操作で得ることのできる画像形成装置を提供することにある。
【課題を解決するための手段】
【０００６】
以上の目的を達成するため、本発明の一形態である画像形成装置は、
副走査方向に異なる位置で発光する複数の発光点を有する光源と、
前記光源から出力された複数のビームを感光体上に走査する走査手段と、
画像領域外に配置され、前記光源のうちいずれかのビームの照射により主走査同期信号を出力する同期信号出力手段と、
前記光源を画像データに基づいて変調する駆動手段と、
前記主走査同期信号に基づいて各ビームの主走査方向の画像書込みタイミングを制御する制御手段と、
を有するレーザ走査光学装置を備え、
前記制御手段は、選択された画像処理モードに基づいて複数のビームの画像書込みタイミングを１走査ごとに変更すること、
を特徴とする。
【０００７】
前記画像形成装置において、制御手段は選択された画像処理モードに基づいて複数のビームの画像書込みタイミングを１走査ごとに変更する。選択された画像処理モードとは、スクリーン線数や角度による画像パターンの周期が光源のビーム本数と干渉し、各ビームが主走査方向の位置ずれがある場合に形成される画像に干渉による筋やむらが発生するものをいう。
【０００８】
前記画像形成装置においては、選択された画像処理モードに基づいて複数のビームの画像書込みタイミングが１走査ごとに変更されるため、各ビームの主走査方向の位置ずれ量が一律でなくなり、ビーム本数と干渉する画像処理モードが選択された場合であっても、筋やむらのない画像を得ることができる。しかも、選択された画像処理モードごとに各ビームの画像書込みタイミングを固定的に設定可能としたり、ランダムに設定可能とすることができ、プリントされた画像を視認して画像書込みタイミングを設定する必要はなく、操作に手間を要することはない。
【発明を実施するための最良の形態】
【０００９】
以下、本発明に係る画像形成装置の実施例について、添付図面を参照して説明する。
【００１０】
（画像形成装置の概略構成、図１参照）
まず、本発明に係る画像形成装置の一実施例について図１を参照して説明する。この画像形成装置は、電子写真方式によるカラープリンタであって、いわゆるタンデム方式で４色（Ｙ：イエロー、Ｍ：マゼンタ、Ｃ：シアン、Ｋ：ブラック）の画像を形成するように構成したものである。画像は、各画像形成ステーション１０１で形成され、中間転写ベルト１１２上で合成される。なお、各図において、参照数字に付されているＹ，Ｍ，Ｃ，Ｋの文字はそれぞれイエロー、マゼンタ、シアン、ブラック用の部材であることを意味している。
【００１１】
画像形成ステーション１０１（１０１Ｙ，１０１Ｍ，１０１Ｃ，１０１Ｋ）は、その概略を説明すると、感光体ドラム１０２（１０２Ｙ，１０２Ｍ，１０２Ｃ，１０２Ｋ）、レーザ走査光学ユニット１（１Ｙ，１Ｍ，１Ｃ，１Ｋ）、現像器１０４（１０４Ｙ，１０４Ｍ，１０４Ｃ，１０４Ｋ）などを含む。
【００１２】
各レーザ走査光学ユニット１から放射されたビームＢＹ，ＢＭ，ＢＣ，ＢＫが各感光体ドラム１０２を照射し、各色の画像を形成する。一方、画像形成ステーション１０１の直下には中間転写ベルト１１２がローラ１１３，１１４，１１５にて無端状に張り渡され、矢印Ａ方向に回転駆動され、駆動ローラ１１３を設置した部分であって中間転写ベルト１１２に対向する部分（２次転写部）には２次転写ローラ１１６が配置されている。また、画像形成装置の下段には、積載されている転写材を１枚ずつ給紙する自動給紙部１３０が設置されている。
【００１３】
画像データは図示しない画像読取り装置（スキャナ）あるいはコンピュータなどからＹＭＣＫごとの画像データとして記憶手段３１（図３参照）に送信され、これらの画像データに基づいて各レーザ走査光学ユニット１が駆動され、それぞれの感光体ドラム１０２上にトナー画像を形成する。このような電子写真プロセスは周知であり、その説明は省略する。
【００１４】
各感光体ドラム１０２上に形成されたトナー画像は、矢印Ａ方向に回転駆動される中間転写ベルト１１２上に順次１次転写され、４色の画像が合成される。一方、転写材は１枚ずつ給紙部１３０から上方に給紙され、２次転写部で転写ローラ１１６から付与される電界にて中間転写ベルト１１２から合成画像が２次転写される。その後、転写材は図示しない定着装置に搬送されてトナーの加熱定着が施され、画像形成装置の上面部に排出される。
【００１５】
２次転写部の直前には給紙された用紙を検出するためのＴＯＤセンサ１０６が設置され、転写材と中間転写ベルト１１２上の画像との同期をとっている。また、中間転写ベルト１１２上に形成されたレジスト補正用画像を検出するためのレジストセンサ１０５が設置されている。ベルト１１２上に各画像形成ステーション１０１ごとにレジスト補正用画像を形成し、該補正用画像をセンサ１０５で検出することで、各レーザビームＢＹ，ＢＭ，ＢＣ，ＢＫの発光タイミングを調整し、ＹＭＣＫの画像がベルト１１２上で正確に合成されるようにしている。
【００１６】
（レーザ走査光学ユニット、図２及び図３参照）
次に、それぞれのレーザ走査光学ユニット１について説明する。各レーザ走査光学ユニット１は、光源部と、ポリゴンミラー４を含む走査部とで構成されている。光源部は、半導体レーザアレイ２（以下、ＬＤアレイとも記す）と、コリメータレンズ３と、スリット板８とで構成されている。走査部は、主走査同期信号（以下、ＳＯＳ信号とも記す）を出力するための光センサ５（以下、ＳＯＳセンサとも記す）と、走査レンズ６ａ，６ｂと、折返しミラー７とで構成されている。ポリゴンミラー４は駆動部１１（図３参照）に入力される駆動信号に基づいて所定の速度で回転駆動される。
【００１７】
ＬＤアレイ２は、副走査方向Ｚに異なる位置で発光する四つの発光点を有するもので、各発光点から放射されたビームは、コリメータレンズ３によって略平行光とされ、ポリゴンミラー４の各反射面にて等角速度で主走査方向Ｙに偏向され、走査レンズ６ａ，６ｂを透過し、折返しミラー７で反射して感光体ドラム１０２上で結像し、主走査方向Ｙに走査する。この主走査と感光体ドラム１０２の回転による副走査とで感光体ドラム１０２上に２次元の静電潜像が形成されていく。
【００１８】
走査レンズ６ａ．６ｂは、ポリゴンミラー４で等角速度に偏向されたビームを主走査方向Ｙに等速度に補正するｆθ特性、及び、ビームを感光体ドラム１０２上で結像させる結像特性を有している。
【００１９】
ＳＯＳセンサ５は、画像領域外に配置され、走査レンズ６ａ，６ｂを透過しかつ折返しミラー７で反射したビームが入射する。この、ＳＯＳセンサ５はポリゴンミラー４の走査速度の検出及び各ビームの主走査方向Ｙの同期をとるために用いられる。
【００２０】
前記レーザ走査光学ユニット１は図３に示す制御部によって制御される。四つのビームのそれぞれに対応する画像データａ１〜ｄ１は各変調回路３５ａ〜３５ｄに供給される。変調回路３５ａ〜３５ｄにおいて、各画像データａ１〜ｄ１とデータクロックＤＣＫａ〜ＤＣＫｄとに基づいた信号（画像データａ２〜ｄ２）が生成される。変調回路３５ａ〜３５ｄからの信号（画像データａ２〜ｄ２）は、ＣＰＵ３２で制御されるディレイ回路４０ａ〜４０ｄによって遅延制御され、画像データａ３〜ｄ３としてレーザ駆動回路１０ａ〜１０ｄを介してＬＤアレイ２の各発光点に供給され、ビームが発光される。
【００２１】
レーザ駆動回路１０ａ〜１０ｄは、水平及び垂直有効期間のみで駆動状態になるようにＣＰＵ３２からの制御信号で個別に駆動される。各レーザ駆動回路１０ａ〜１０ｄには、ＬＤアレイ２からのビーム光量を示す信号がフィードバックされ、その光量が一定となるようにＬＤアレイ２の各発光点の駆動が制御される。
【００２２】
ＬＤアレイ２から出力されるレーザビームは、前述のごとく、ポリゴンミラー４によって偏向され、感光体ドラム１０２上を走査する。ポリゴンミラー４の１面での走査による描画を１走査と称する。偏向されたビームの主走査方向Ｙの書込み位置は、走査領域の先端側に配置されたＳＯＳセンサ５によって検出されるＳＯＳ信号に基づいて制御される。即ち、ＳＯＳセンサ５のビーム検出信号は、ＣＰＵ３２を経由して画素クロック生成回路３４に供給され、ＬＤアレイ２の各発光点による画像の書込みタイミングが制御される。
【００２３】
また、画像形成に関する各種の指示をユーザが入力、選択するための操作パネル４１がＣＰＵ３２と接続されている。操作パネル４１から入力／選択信号はＣＰＵ３２を介して記憶手段３１に記憶される。
【００２４】
（マルチビームによる描画、図４及び図５参照）
ＬＤアレイ２は四つのビームを同時に放射するマルチビームレーザであり、図４に示すように、各発光点ａ〜ｄは副走査方向Ｚに対して異なる位置になるように斜めに配置されている。副走査方向Ｚのピッチｚは画像の解像度によって決定され、主走査方向Ｙには、発光点ａを基準にすると、発光点ｂ，ｃ，ｄはＬ１，Ｌ２，Ｌ３のピッチを有している。
【００２５】
各発光点から出力されるビームａ〜ｄの発光タイミングは図５に示すとおりである。即ち、まず、ビームａを発光させてＳＯＳセンサ５上を走査し、ＳＯＳ信号を生成する。このＳＯＳ信号を基準として、変調回路３５ａ〜３５ｄは画像データａ２〜ｄ２をそれぞれ時間ｔ１，ｔ２，ｔ３，ｔ４だけ遅延して出力する。さらに、ディレイ回路４０ａ〜４０ｄは画像データａ２〜ｄ２を１ドット以下の単位で時間ｔ１１，ｔ１２，ｔ１３，ｔ１４だけ遅延させ、画像データａ３〜ｄ３をレーザ駆動回路１０ａ〜１０ｄに出力する。これにて、ビームａ〜ｄが変調制御され、感光体ドラム１０２上を走査する。
【００２６】
ここで、遅延時間ｔ２，ｔ３，ｔ４は、図４に示したビームの主走査方向ＹのピッチＬ１，Ｌ２，Ｌ３を主走査速度で除算した値である。そして、この遅延時間を変更することにより、各ビームでの主走査方向Ｙの書込みタイミングを変更し、仮に各ビームが主走査方向Ｙにずれを生じていても、主走査方向Ｙのピッチずれを補正することができる。ビームｂ〜ｄの主走査方向Ｙのピッチずれは１ドット単位で補正を行う。なお、この点については後に詳述する。
【００２７】
（主走査方向のピッチずれとその補正、図６〜図８参照）
図６はビームａ〜ｄの感光体ドラム１０２上での位置を示し、ビームｂ，ｃが点線で示すようにそれぞれ設計上の位置よりもΔ１，Δ２だけ主走査方向Ｙにずれている場合を示している。ここで、設計上の位置とは、副走査方向Ｚのピッチｚを所望の値に配置した場合に、設計上計算される主走査方向Ｙの位置である。ビームが設計上の位置からずれる理由としては、ＬＤアレイ２において製造過程で発光点の間隔がずれていたり、光学系の倍率や配置の誤差などによる。
【００２８】
図７はビームａ〜ｄが設計値にある場合（図４参照）、画像処理モードＡでハーフトーンを描画したときの画像を示している。図８はビームｂ，ｃがずれている場合（図６参照）、画像処理モードＡでハーフトーンを描画したときの画像を示している。図７ではビームａ〜ｄが設計値どおりであるため、ドット配列に乱れを視認できない。しかし、図８ではビームｂ，ｃにずれを生じているので、斜め方向に筋が見られる。
【００２９】
図８に示した画像に見られる筋は、ビームａ〜ｄによる描画ラインが固定されているため、ビーム本数の周期で発生する。この場合、４ビームで１走査を行っているため、ずれの周期も４ラインごとになっている。これは、特性の画像処理モードと４ライン周期の干渉によって発生する。図示しないが、画像処理モードを変更すると、斜め方向の筋は発生しない。また、同一の画像処理モードであっても、実際のビーム位置によっては発生しない場合がある。
【００３０】
具体的には、画像処理を行うことにより、例えば、ビームａのみで形成された線とビームｃのみで形成された線が平行に描画されることがある。この場合、ビームの主走査方向Ｙの位置ずれがそのまま線の間隔のずれとなり、それが筋やむらとして視認されてしまう。
【００３１】
（ずれの補正、図９及び図１０参照）
そこで、本実施例では、１走査におけるビームａ〜ｄの画像書込みタイミングを変更することとした。このような制御は、選択された画像処理モードでの画像パターンの周期がビーム本数と干渉し、画像に干渉による筋やむらが発生する場合に実行される。具体的にはディレイ回路４０ａ〜４０ｄの制御に関連する。以下に詳述する。
【００３２】
制御手順は図９〜図１０に示すとおりであり、ここでの選択や入力はユーザが行う。まず、操作パネル４１での操作によって画像処理モードＡ，Ｂ，Ｃ，Ｄのいずれかを選択する（ステップＳ１）。次に、選択された画像処理モードにおけるビーム可変方法を「固定」か「ランダム」かのいずれかを選択する（ステップＳ１１）。さらに、ディレイ回路４０ａ〜４０ｄの制御方法を「可変量固定」か「可変量ランダム」かのいずれかを選択する（ステップＳ１２，Ｓ１７）。
【００３３】
例えば、ビーム可変方法で「固定」を選択した場合、「可変量固定」を選択すると、可変制御するビームを選択し（ステップＳ１５）、ビームの可変制御量を設定する（ステップＳ１６）。「可変量ランダム」を選択すると、ランダム制御を行うビームを選択し（ステップＳ１３）、ビームの可変制御量の最大を設定する（ステップＳ１４）。これらの選択、設定はＣＰＵ３２を介して記憶手段３１に記憶される（ステップＳ６）。
【００３４】
一方、ビーム可変方法で「ランダム」を選択した場合、「可変量固定」を選択すると、ビームの可変制御量を設定する（ステップＳ１９）。「可変量ランダム」を選択すると、ビームの可変制御量の最大を設定する（ステップＳ１８）。これらの選択、設定はＣＰＵ３２を介して記憶手段３１に記憶される（ステップＳ６）。
【００３５】
以上の入力作業を繰り返して実行することで、以下の表１ａ〜表１ｄに示すような設定が記憶手段３１に記憶されることになる。
【００３６】
【表１】
0005320834.tif 000002
【００３７】
図１１は本実施例における描画の制御手順を示す。画像処理モードが選択されると（ステップＳ２１）、ＣＰＵ３２は記憶手段３１から選択された画像処理モードのビームに対応した設定値（制御方法及び可変量）を読み出し（ステップＳ２２）、画像を描画する（ステップＳ２３）。
【００３８】
ここで読み出した結果が前記表１ａに示す画像処理モードＡである場合、ビーム可変方法は「固定」であり、ビームａ，ｂのディレイ回路の制御方法は「可変量固定」であって可変量は０ドットであるため、ＣＰＵ３２はディレイ回路４０ａ、４０ｂに対して時間ｔ１１、ｔ１２として０ドットを指示する。これにより、ディレイ回路４０ａ，４０ｂは画像データａ３，ｂ３を遅延させずに１走査ごとに出力する。ビームｃのディレイ回路の制御方法は「可変量固定」であって可変量は＋０．５ドットであるため、ディレイ回路４０ｃに対して時間ｔ１３として＋０．５ドットを指示する。これにより、ディレイ回路４０ｃは画像データｃ３を＋０．５ドット遅延させて１走査ごとに出力する。ビームｄのディレイ回路の制御方法は「可変量固定」であって可変量は−０．５ドットであるため、変調回路３５ｄに対して時間ｔ４を１ドット早く出力する設定を行う。同時に、ディレイ回路４０ｄに対して時間ｔ１４として＋０．５ドットを指示する。これにより、ディレイ回路４０ｄは画像データｄ３を＋０．５ドット遅延させて１走査ごとに出力する。即ち、ビームｄに関してはトータルで−０．５ドットとの遅延を行う。具体的には、以下の表２に示す指示となる。
【００３９】
また、読み出した結果が前記表１ｂに示す画像処理モードＢである場合、ビーム可変方法は「固定」であり、ビームａ，ｂ，ｃのディレイ回路の制御方法は「可変量固定」であって可変量は０ドットであるため、ＣＰＵ３２はディレイ回路４０ａ、４０ｂ，４０ｃに対して時間ｔ１１、ｔ１２，ｔ１３として０ドットを指示する。これにより、ディレイ回路４０ａ，４０ｂ，４０ｃは画像データａ３，ｂ３，ｃ３を遅延させずに１走査ごとに出力する。ビームｄのディレイ回路の制御方法は「可変量ランダム」であって可変量は＋０．８ドットであるため、ディレイ回路４０ｄに対して時間ｔ１４として０〜＋０．８ドットの範囲で１走査ごとにランダムに指示する。これにて、ディレイ回路４０ｄは画像データｄ３を０〜＋０．８ドットの範囲でランダムに遅延させて１走査ごとに出力する。具体的には、以下の表３に示す指示となる。
【００４０】
また、読み出した結果が前記表１ｃに示す画像処理モードＣである場合、ビーム可変方法は「ランダム」であり、ビームａ〜ｄのディレイ回路の制御方法は「可変量固定」であって可変量は＋０．５ドットであるため、ＣＰＵ３２はディレイ回路４０ａ〜４０ｄに対して時間ｔ１１〜ｔ１４として０ドット又は＋０．５ドットをランダムに指示する。これにて、ディレイ回路４０ａ〜４０ｄは画像データａ３〜ｄ３を０ドット又は＋０．５ドットにランダムに遅延させて１走査ごとに出力する。具体的には、以下の表４に示す指示となる。
【００４１】
また、読み出した結果が前記表１ｄに示す画像処理モードＤである場合、ビーム可変方法は「ランダム」であり、ビームａ〜ｄのディレイ回路の制御方法は「可変量ランダム」であって可変量は＋０．５ドットであるため、ＣＰＵ３２はディレイ回路４０ａ〜４０ｄに対して時間ｔ１１〜ｔ１４として０〜＋０．５ドットをランダムに指示する。これにて、ディレイ回路４０ａ〜４０ｄは画像データａ３〜ｄ３を０〜０．５ドットの範囲でランダムに遅延させて１走査ごとに出力する。具体的には、以下の表５に示す指示となる。
【００４２】
図１２（Ａ）に画像処理モードＡで描画したハーフトーン画像を示す。図１２（Ｂ）に画像処理モードＢで描画したハーフトーン画像を示す。図１２（Ｃ）に画像処理モードＣで描画したハーフトーン画像を示す。図１２（Ｄ）に画像処理モードＤで描画したハーフトーン画像を示す。これらの画像を図８に示した画像と比較すると明らかなように斜め方向の筋やむらが解消されている。
【００４３】
【表２】
0005320834.tif 000003
【００４４】
【表３】
0005320834.tif 000004
【００４５】
【表４】
0005320834.tif 000005
【００４６】
【表５】
0005320834.tif 000006
【００４７】
（他の実施例）
なお、本発明に係る画像形成装置は前記実施例に限定するものではなく、その要旨の範囲内で種々に変更できる。
【００４８】
特に、光源に内蔵される発光点数は４に限定されることはない。また、ビームを走査するための光学素子の種類や配置は任意である。
【図面の簡単な説明】
【００４９】
【図１】本発明に係る画像形成装置の一実施例を示す概略構成図である。
【図２】レーザ走査光学ユニットを示す平面図である。
【図３】レーザ走査光学ユニットの制御部を示すブロック図である。
【図４】ＬＤアレイの発光点を示す説明図である。
【図５】ビームの発光タイミングを示すチャート図である。
【図６】ビームの主走査方向のずれを示す説明図である。
【図７】ずれのないビームで描画された画像を示す説明図である。
【図８】ずれを有するビームで描画された画像を示す説明図である。
【図９】画像のずれを補正するための制御手順を示すフローチャート図である。
【図１０】画像のずれを補正するための制御手順を示すフローチャート図である。
【図１１】レーザ走査光学ユニットの制御手順を示すフローチャート図である。
【図１２】ずれを補正した画像を示す説明図である。
【符号の説明】
【００５０】
１…レーザ走査光学ユニット
２…ＬＤアレイ
４…ポリゴンミラー
５…ＳＯＳセンサ
６ａ，６ｂ…走査レンズ
１０ａ〜１０ｄ…レーザ駆動回路
３２…ＣＰＵ
３５ａ〜３５ｄ…変調回路
４０ａ〜４０ｄ…ディレイ回路
４１…操作パネル
１０２…感光体ドラム
ａ〜ｄ…発光点（ビーム）
Ｚ…副走査方向
【図１】
0005320834.tif 000007
【図２】
0005320834.tif 000008
【図３】
0005320834.tif 000009
【図４】
0005320834.tif 000010
【図５】
0005320834.tif 000011
【図６】
0005320834.tif 000012
【図７】
0005320834.tif 000013
【図８】
0005320834.tif 000014
【図９】
0005320834.tif 000015
【図１０】
0005320834.tif 000016
【図１１】
0005320834.tif 000017
【図１２】
0005320834.tif 000018